【事件の表示】
　特願２０１２−５２２７５８「３次元映像の再生のための付加情報が挿入された３次元映像データストリーム生成方法及びその装置、３次元映像の再生のための付加情報が挿入された３次元映像データストリーム受信方法及びその装置」拒絶査定不服審判事件〔平成２３年　２月　３日国際公開、ＷＯ２０１１／０１３９９５、平成２５年　１月　７日国内公表、特表２０１３−５００６７３〕について、次のとおり審決する。
【結　論】
　本件審判の請求は、成り立たない。
【理　由】
第１　手続の経緯
　本願は、２０１０年７月２７日（パリ条約による優先権主張外国庁受理２００９年７月２７日、韓国）を国際出願日とする出願であって、平成２６年１月３０日付けの拒絶理由通知に対し、平成２６年５月１２日付けで手続補正がなされ、平成２６年１１月１９日付けの最後の拒絶理由通知に対し、平成２７年２月２４日付けで手続補正がなされたが、平成２７年８月１２日付けで、平成２７年２月２４日付けの手続補正が却下されるとともに、拒絶査定がなされたものである。
　本件は、上記拒絶査定を不服として、平成２７年１２月１６日付けで請求された拒絶査定不服審判であって、請求と同時に手続補正がなされたものである。
第２　平成２７年１２月１６日付けの手続補正についての補正却下の決定
［補正却下の決定の結論］
　平成２７年１２月１６日付けの手続補正を却下する。
［理由］
１．補正の内容
　
　上記手続補正（以下、「本件補正」という。）は、本件補正前の平成２６年５月１２日付け手続補正書（平成２７年２月２４日付けの手続補正はすでに却下されている。）の特許請求の範囲の請求項１〜１５を、請求項１〜１１に補正するものであるところ、そのうちの請求項１０に記載された、
「３次元映像データの符号化されたビット列を含む基礎ストリームを生成するステップと、
　前記基礎ストリームをパケット化して、少なくとも一つの基礎ストリームパケットを生成するステップと、
　前記３次元映像データのサービス関連情報を含むＰＳＩＰ情報を生成するステップと、
　ＥＩＴ及びＶＣＴを含む前記ＰＳＩＰ情報内に、前記３次元映像の再生に必要な３次元映像再生情報を挿入するステップと、
　前記ＰＳＩＰ情報及び前記少なくとも一つの基礎ストリームパケットのうち、それぞれについての少なくとも一つの伝送ストリームパケットを生成するステップと、
前記生成された伝送ストリームパケットを多重化して、伝送ストリームを生成するステップと、を含むことを特徴とする３次元映像データストリーム生成方法。」
という発明を、平成２７年１２月１６日付け手続補正書の特許請求の範囲の請求項６に記載された、
「３次元映像データの符号化されたビット列を含む基礎ストリームを生成するステップと、
　前記基礎ストリームをパケット化して、少なくとも一つの基礎ストリームパケットを生成するステップと、
　前記３次元映像データのサービス関連情報を含むＰＳＩＰ情報を生成するステップと、
　ＥＩＴ及びＶＣＴを含む前記ＰＳＩＰ情報内に、前記３次元映像の再生に必要な３次元映像再生情報を挿入するステップと、
　前記ＰＳＩＰ情報及び前記少なくとも一つの基礎ストリームパケットのうち、それぞれについての少なくとも一つの伝送ストリームパケットを生成するステップと、
　前記生成された伝送ストリームパケットを多重化して、伝送ストリームを生成するステップと、を含
み、
　前記３次元映像再生情報を挿入するステップは、
　前記３次元映像再生情報を含む少なくとも一つの３次元映像再生記述子を生成するステップと、
　前記ＰＳＩＰ情報の記述子領域に、前記３次元映像再生記述子を挿入するステップと、
　を含み、
　前記３次元映像再生記述子は、前記３次元映像の円滑な再生のための基礎情報及び付加情報を含み、
　前記３次元映像再生記述子は、全体の映像データのうち、３次元に再生される時間的区間または空間的区間を表す区間３次元再生記述子、前記３次元映像を獲得したカメラに関する３次元カメラ記述子、前記３次元映像の再生により発生する視聴違和感を緩和するための低疲労度記述子、及び左視点映像及び右視点映像の不一致状態を表す左右不一致記述子のうち少なくとも一つを付加情報として含み、
　前記付加情報は、該付加情報が定義されているか否かを示す指示子を含
という発明に補正することを含むものである。（下線は、補正箇所を示す。）
２．新規事項の有無、単一性、補正の目的について
　本件補正は、平成２６年５月１２日付け手続補正書の特許請求の範囲の請求項１０に記載された、「３次元映像再生情報を挿入するステップ」に関して、
「前記３次元映像再生情報を挿入するステップは、
　前記３次元映像再生情報を含む少なくとも一つの３次元映像再生記述子を生成するステップと、
　前記ＰＳＩＰ情報の記述子領域に、前記３次元映像再生記述子を挿入するステップと、
　を含み、
　前記３次元映像再生記述子は、前記３次元映像の円滑な再生のための基礎情報及び付加情報を含み、
　前記３次元映像再生記述子は、全体の映像データのうち、３次元に再生される時間的区間または空間的区間を表す区間３次元再生記述子、前記３次元映像を獲得したカメラに関する３次元カメラ記述子、前記３次元映像の再生により発生する視聴違和感を緩和するための低疲労度記述子、及び左視点映像及び右視点映像の不一致状態を表す左右不一致記述子のうち少なくとも一つを付加情報として含み、
　前記付加情報は、該付加情報が定義されているか否かを示す指示子を含む」ことを追加するものであり、これは、願書に最初に添付した明細書、特許請求の範囲又は図面に記載した事項の範囲内においてするものであって、補正前の請求項に記載された発明と補正後の請求項に記載された発明とは発明の単一性の要件を満たすものである。
　また、「３次元映像再生情報を挿入するステップ」を限定して、特許請求の範囲を減縮するものである。
　したがって、本件補正は、特許法第１７条の２第３項、第４項、第５項第２号の規定に適合するものである。
３．独立特許要件について
　本件補正は、特許請求の範囲の減縮を目的とするものであるから、上記補正後の発明が、特許出願の際独立して特許を受けることができるものであるかどうかについて以下に検討する。
（１）補正後発明
　補正後の請求項６に係る発明（以下、「補正後発明」という。）は、上記の本件補正後の特許請求の範囲の請求項６に記載された次のとおりのものと認める。
　なお、Ａ〜Ｇについては、説明のために当審にて付したものである。
（以下、「構成Ａ」、・・・、「構成Ｇ」という。）
「Ａ　３次元映像データの符号化されたビット列を含む基礎ストリームを生成するステップと、
　Ｂ　前記基礎ストリームをパケット化して、少なくとも一つの基礎ストリームパケットを生成するステップと、
　Ｃ　前記３次元映像データのサービス関連情報を含むＰＳＩＰ情報を生成するステップと、
　Ｄ　ＥＩＴ及びＶＣＴを含む前記ＰＳＩＰ情報内に、前記３次元映像の再生に必要な３次元映像再生情報を挿入するステップと、
　Ｅ　前記ＰＳＩＰ情報及び前記少なくとも一つの基礎ストリームパケットのうち、それぞれについての少なくとも一つの伝送ストリームパケットを生成するステップと、
　Ｆ　前記生成された伝送ストリームパケットを多重化して、伝送ストリームを生成するステップと、を含み、
　Ｄ−１　前記３次元映像再生情報を挿入するステップは、
　Ｄ−２　前記３次元映像再生情報を含む少なくとも一つの３次元映像再生記述子を生成するステップと、
　Ｄ−３　前記ＰＳＩＰ情報の記述子領域に、前記３次元映像再生記述子を挿入するステップと、
　を含み、
　Ｄ−４　前記３次元映像再生記述子は、前記３次元映像の円滑な再生のための基礎情報及び付加情報を含み、
　Ｄ−５　前記３次元映像再生記述子は、全体の映像データのうち、３次元に再生される時間的区間または空間的区間を表す区間３次元再生記述子、前記３次元映像を獲得したカメラに関する３次元カメラ記述子、前記３次元映像の再生により発生する視聴違和感を緩和するための低疲労度記述子、及び左視点映像及び右視点映像の不一致状態を表す左右不一致記述子のうち少なくとも一つを付加情報として含み、
　Ｄ−６　前記付加情報は、該付加情報が定義されているか否かを示す指示子を含む
　Ｇ　ことを特徴とする３次元映像データストリーム生成方法。」
（２）引用発明
　原審の拒絶理由に引用された、特開２００５−６１１４号公報（以下、「引用文献１」という。）には、「放送データ送信装置、放送データ送信方法および放送データ受信装置」として図面とともに以下の事項が記載されている。
　なお、下線は、当審にて付したものである。
ア「【０００１】
【発明の属する技術分野】
本発明はデジタル放送技術に関し、特に立体視を行うことのできる
３次元画像データを含む放送データを送信する
イ「【００２１】
また本発明は、
画像データを含むコンテンツを放送データとして送信する放送データ送信方法
ウ「【００４７】
画像多重方式とは、３Ｄ画像を構成する各視点画像がどのように配置されているかを示す情報である。本実施形態では、画像多重方式として、統合方式、時分割方式、マルチストリーム方式の３つを用いる。ここで、画像多重方式について、図１４を用いて説明する。図１４は、２視点の場合の画像多重方式を説明するための模式図である。図１４（Ａ）に示すように、３Ｄ画像の画像多重に用いられる各視点のビデオデータは、複数のフレームから構成され、それぞれ独立した系列であるものとする。
【００４８】
統合方式とは、図１４（Ｂ）に示すように、各視点画像をフレーム毎に隣接させて伝送する方式である。時分割方式とは、図１４（Ｃ）に示すように、フレーム周期で左眼画像と右眼画像を交互に切り替えて伝送する方式である。ここで伝送される右眼画像のフレームは、先に送られる左眼画像のフレームと同じ時間のものである。この例では左眼画像を先に伝送しているが、右眼画像が先であってもよい。マルチストリーム方式とは、図１４（Ａ）に示す左眼画像と右眼画像のビデオデータを、それぞれ別のデータ列として伝送する方式である。
なお、走査方式がインターレースの場合には、上記のフレームをフィールドで置き換えてもよい。
また、それぞれの画像多重方式は視点数が３以上であっても適用できる。
【００４９】
＜第１の実施形態＞
本発明における第１の実施形態について説明する。第１の実施形態による送信装置は、３Ｄコンテンツを送信する際、３Ｄコンテンツに含まれる３Ｄ画像の３Ｄ画像制御情報を、番組配列情報に格納して送信するものである。その際、図１１に示すように、３Ｄ画像制御情報の中でも、同じチャンネル内に含まれる３Ｄコンテンツで共通であり、頻繁に更新されない情報
（以下、３Ｄ共通情報とする）をＰＭＴに格納し、
（以下、３Ｄ固有情報とする）をＥＩＴに格納
３Ｄ共通情報と３Ｄ固有情報をもとに、３Ｄ画像の立体表示を行う。
【００５０】
はじめに、本実施形態による放送データ送信装置の詳細について説明する。図１は本実施形態による放送データ送信装置の構成例を示すブロック図である。図１に示すように、放送データ送信装置１００は、番組配列情報作成手段１０１と、多重化手段１０２と、伝送路符号化手段１０３から構成される。
【００５１】
番組配列情報作成手段１０１は、３Ｄ画像制御情報を含むＰＭＴやＥＩＴなどの番組配列情報を作成する。番組配列情報作成手段１０１の詳細については後述する。
【００５２】
多重化手段１０２は、番組配列情報作成手段１０１で作成された番組配列情報と、
ＭＰＥＧ（Ｍｏｖｉｎｇ  Ｐｉｃｔｕｒｅ  Ｅｘｐｅｒｔｓ  Ｇｒｏｕｐ）−１、ＭＰＥＧ−２、ＭＰＥＧ−４などを含むビデオデータ
伝送路符号化手段１０３は、ＴＳパケットを既定の変調方式に従って符号化し、放送データとして送信する。
【００５３】
ここで、番組配列情報作成手段１０１の詳細について説明する。図２は番組配列情報作成手段１０１の構成例を示すブロック図である。番組配列情報作成手段１０１は、ＰＭＴを作成するＰＭＴ作成手段２００と、ＥＩＴを作成するＥＩＴ作成手段２０１を含む構成となっている。
【００５４】
まず、ＰＭＴ作成手段２００について説明する。ＰＭＴ作成手段２００には、チャンネルを構成するビデオデータやオーディオデータなどのストリームを、放送データの中から分離するためのＰＩＤを含むストリーム情報が入力される。ストリーム情報が、３Ｄ画像を含む、または３Ｄ画像を構成するビデオデータに関するストリーム情報の場合、ストリーム情報の他に３Ｄ共通情報が入力される。３Ｄ共通情報は、３Ｄ画像制御情報の中で、同じチャンネル内に含まれる３Ｄコンテンツで共通の情報である。
３Ｄ共通情報に含まれる情報の例として、
画像多重方式情報
エ「【００５６】
次に、ＰＭＴ作成手段２００が作成するＰＭＴの構成例を図５に示す。
図５（Ａ）のＰＭＴは、ＰＭＴを識別するＰＭＴ識別子５００と、ＰＭＴのバージョン番号を含むＰＭＴ制御情報５０１と、チャンネルを構成するストリームを識別するＰＩＤを含むストリーム情報５０２、５０４と、
各ストリーム情報の拡張情報を格納する記述子５０３
【００５７】
図５（Ａ）において、ストリーム情報５０２が、３Ｄ画像を含む、または３Ｄ画像を構成するビデオデータに関するストリーム情報であるとすると、ストリーム情報５０２に続く
記述子５０３に３Ｄ共通情報記述子を格納する。
【００５８】
図５（Ｂ）に３Ｄ共通情報記述子の構成例を示す。３Ｄ共通情報記述子は、３Ｄ画像制御情報を含む記述子であることを識別する３Ｄ識別子５０６と、３Ｄ共通情報記述子を識別する３Ｄ共通情報識別子５０７と、前述した視点数情報５０８および画像多重方式情報５０９、強制２Ｄフラグ情報５１０と、付加情報５１１を含む構成となっている。付加情報５１１については後に説明する。
【００５９】
続いて、図５のＰＭＴを作成する際のＰＭＴ作成手段２００の動作について、図３のフローチャートを用いて説明する。
まず、作成する番組配列情報がＰＭＴであることを示すＰＭＴ識別子を作成し（ステップＳ３００）、続いてＰＭＴのバージョン番号を含むＰＭＴ制御情報を作成する（ステップＳ３０１）。次に、コンテンツを構成するビデオデータやオーディオデータなどのストリーム毎に、ＰＩＤを含むストリーム情報を作成する（ステップＳ３０２）。次に、ストリームがビデオデータかどうかを判定し（ステップＳ３０３）、ビデオデータである場合は、
３Ｄ共通情報を格納する３Ｄ共通情報記述子を作成
オ「【００６８】
次に、ＥＩＴ作成手段２０１について説明する。ＥＩＴ作成手段２０１には、コンテンツの放送時間帯を示す番組時間情報を含む番組情報が入力される。また、番組に３Ｄ画像が含まれている場合、番組情報の他に、３Ｄ固有情報が入力される。３Ｄ固有情報は、３Ｄ画像制御情報の中で、３Ｄコンテンツ毎に固有の情報である。
３Ｄ固有情報に含まれる情報の例として、
３Ｄシーン時間情報などが挙げられる。
【００６９】
２Ｄ表示画像情報は、受信装置において３Ｄ画像を２Ｄ表示する際に選択すべき視点の画像を示す情報である。
また、視差量調整情報は、３Ｄ画像を立体表示した時の飛び出し具合の程度の調整値を示す情報である。
【００７０】
また、
３Ｄシーン時間情報は、
３Ｄシーンの時間帯を指定する情報である。
３Ｄシーン時間情報は、３Ｄシーンデータが始まる時刻を示す３Ｄシーン開始時刻と、３Ｄシーン開始時刻から３Ｄシーンが継続する時間を示す３Ｄシーン継続時間を含む構成となっている。
【００７１】
また、ビデオデータの中に含まれる３Ｄシーンの数を３Ｄシーン時間情報に格納してもよい。また、３Ｄシーン継続時間の代わりに、３Ｄシーンが終了する時刻を示す３Ｄシーン終了時刻を用いてもよい。また、ビデオデータの中に、２Ｄビデオデータが含まれず、３Ｄシーンだけで構成される場合は、３Ｄシーン時間情報はなくてもよい。また、
３Ｄ固有情報の中に、３Ｄシーン時間情報を含むかどうかを示すフラグを格納してもよい。
【００７２】
次に、ＥＩＴ作成手段２０１が作成するＥＩＴの構成例を図９に示す。図９（Ａ）のＥＩＴは、ＥＩＴを識別するＥＩＴ識別子９００と、ＥＩＴのバージョン番号を含むＥＩＴ制御情報９０１と、チャンネルに含まれるコンテンツの放送時間帯を記述した番組時間情報を含む番組情報９０２、９０４と、
各番組情報の拡張情報を格納する記述子９０３
【００７３】
図９（Ａ）において、番組情報９０２が３Ｄシーンを含む番組に関する情報であるとすると、番組情報９０２に続く
記述子９０３に３Ｄ固有情報記述子を格納する。
【００７４】
図９（Ｂ）に３Ｄ固有情報記述子の構成を示す。
３Ｄ固有情報記述子は、
３Ｄシーン時間情報９１０を含む構成となっている。
【００７５】
続いて、図９のＥＩＴを作成する際のＥＩＴ作成手段２０１の動作について、図７のフローチャートを用いて説明する。
まず、どの番組の番組情報を作成してＥＩＴに格納するかを指定する（ステップＳ７００）。例えば、全番組の番組情報の作成を指定したり、ある１つの番組のみの番組情報の作成を指定することができる。次に、作成する番組配列情報がＥＩＴであることを示すＥＩＴ識別子を作成し（ステップＳ７０１）、続いてＥＩＴのバージョン番号を含むＥＩＴ制御情報を作成する（ステップＳ７０２）。
【００７６】
次に、番組毎に番組時間情報を含む番組情報を作成する（ステップＳ７０３）。次いで、番組が３Ｄコンテンツかどうかを判定し（ステップＳ７０４）、３Ｄコンテンツである場合は
３Ｄ固有情報を格納する３Ｄ固有情報記述子を作成
カ「【００８０】
以上説明したように、ＰＭＴ作成手段２００で作成された３Ｄ共通情報を含むＰＭＴと、ＥＩＴ作成手段２０１で作成された
３Ｄ固有情報を含むＥＩＴ
多重化手段１０２でＴＳパケットに変換され、ビデオデータやオーディオデータなどのＴＳパケットと多重化される。多重化されたＴＳパケットは、伝送路符号化手段１０３で変調方式に従って符号化され、放送データとして送信される。
【００８１】
なお、上記の実施形態では、３Ｄ共通情報をＰＭＴに格納し、３Ｄ固有情報をＥＩＴに格納しているが、
３Ｄ共通情報と３Ｄ固有情報を
ＥＩＴにまとめて格納してもよし
その際、３Ｄ共通情報と３Ｄ固有情報をまとめて同じ記述子に格納してもよい。
キ「【０１１７】
ビデオデータをＴＳパケットにする際は、
符号化により得られるビット列を所定の処理単位で分割してＰＥＳ（Ｐａｃｋｅｔｉｚｅｄ  Ｅｌｅｍｅｎｔａｒｙ  Ｓｔｒｅａｍ）パケットに格納
前記パケットを所定のサイズのＴＳパケットに分割する。
　上記ア〜キの記載及び関連する図面並びにこの分野における技術常識を考慮し、引用文献１について検討する。
（ａ）引用文献１には、上記ア、イに記載があるように、３次元画像データを含むコンテンツを放送データとして送信する放送データ送信方法についての記載がある。
　ここで、３次元画像データを含むコンテンツを放送データとして送信するためには、３次元画像データを含むコンテンツから放送データを生成する必要があるから、引用文献１には、３次元画像データを含むコンテンツから放送データを生成する方法についての記載があるといえる。
（ｂ）上記ウ、キの記載から、引用文献１の３次元画像データを含むコンテンツから放送データを生成する方法は、ＭＰＥＧ−１、ＭＰＥＧ−２、ＭＰＥＧ−４などを含むビデオデータの符号化により得られるビット列を所定の処理単位で分割してＰＥＳパケットに格納するものである。
（ｃ）上記ウには、３Ｄ画像制御情報のうち、３Ｄ共通情報をＰＭＴに格納し、３Ｄ固有情報をＥＩＴに格納すること、３Ｄ共通情報と３Ｄ固有情報をもとに、３Ｄ画像の立体表示を行うことが記載されている。
　また、上記カには、３Ｄ共通情報と３Ｄ固有情報をＥＩＴにまとめて格納してもよいことが記載されている。
　すなわち、上記ウ、カの記載から、引用文献１の３次元画像データを含むコンテンツから放送データを生成する方法は、ＥＩＴに、３Ｄ画像の立体表示を行うための３Ｄ共通情報と３Ｄ固有情報からなる３Ｄ画像制御情報を格納するものである。
（ｄ）上記ウ、カ、キの記載から、引用文献１の３次元画像データを含むコンテンツから放送データを生成する方法は、ＥＩＴをＴＳパケットに変換し、ビデオデータのＰＥＳパケットを分割したＴＳパケットと多重化し、多重化したＴＳパケットを放送データとするものである。
（ｅ）上記エには、３Ｄ共通情報を格納する３Ｄ共通情報記述子を作成すること、ＰＭＴにおける各ストリーム情報の拡張情報を格納する記述子に、３Ｄ共通情報記述子を格納することが記載され、上記カには、３Ｄ固有情報を格納する３Ｄ固有情報記述子を作成すること、ＥＩＴにおける各番組情報の拡張情報を格納する記述子に、３Ｄ固有情報記述子を格納することが記載されている。
　また、上記カには、３Ｄ共通情報と３Ｄ固有情報をＥＩＴにまとめて格納してもよく、その際に、３Ｄ共通情報と３Ｄ固有情報をまとめて同じ記述子に格納してもよいことが記載されている。
　すなわち、３Ｄ共通情報と３Ｄ固有情報をＥＩＴにまとめて格納した場合には、３Ｄ共通情報と３Ｄ固有情報をまとめて格納する記述子を作成するものであり、ＥＩＴにおける各番組情報の拡張情報を格納する記述子に、作成された３Ｄ共通情報と３Ｄ固有情報をまとめて格納する記述子を格納するものといえる。
　そうすると、引用文献１の３次元画像データを含むコンテンツから放送データを生成する方法において、３Ｄ画像制御情報を格納する際には、３Ｄ共通情報と３Ｄ固有情報をまとめて格納する記述子を作成し、ＥＩＴにおける各番組情報の拡張情報を格納する記述子に、作成された３Ｄ共通情報と３Ｄ固有情報をまとめて格納する記述子を格納するものである。
（ｆ）上記オの記載から、引用文献１の３次元画像データを含むコンテンツから放送データを生成する方法において、３Ｄ画像制御情報を格納する際には、３Ｄシーンデータが始まる時刻を示す３Ｄシーン開始時刻と、３Ｄシーン開始時刻から３Ｄシーンが継続する時間を示す３Ｄシーン継続時間を含む構成である３Ｄシーン時間情報を３Ｄ固有情報として含むものである。
（ｇ）上記オの記載から、引用文献１の３次元画像データを含むコンテンツから放送データを生成する方法において、３Ｄ画像制御情報を格納する際には、３Ｄ固有情報の中に、３Ｄシーン時間情報を含むかどうかを示すフラグを格納するものである。
（ｈ）引用文献１に記載された発明を、上記（ａ）のように方法の発明として捉えると、上記（ｂ）〜（ｅ）の構成は、それぞれが方法の発明の各ステップとして捉えることができる。
　そうすると、引用文献１には以下の発明（以下、「引用発明」という。）が開示されている。 
　なお、ａ〜ｄについては、説明のために当審にて付したものである。 
（以下、「構成ａ」、・・・、「構成ｄ」という。）
「ａ　ＭＰＥＧ−１、ＭＰＥＧ−２、ＭＰＥＧ−４などを含むビデオデータの符号化により得られるビット列を所定の処理単位で分割してＰＥＳパケットに格納するステップと、
　ｂ　ＥＩＴに、３Ｄ画像の立体表示を行うための３Ｄ共通情報と３Ｄ固有情報からなる３Ｄ画像制御情報を格納するステップと、
　ｃ　ＥＩＴをＴＳパケットに変換し、ビデオデータのＰＥＳパケットを分割したＴＳパケットと多重化し、多重化したＴＳパケットを放送データとするステップを含み、
　ｂ−１　３Ｄ画像制御情報を格納するステップは、
　ｂ−２　３Ｄ共通情報と３Ｄ固有情報をまとめて格納する記述子を作成するステップと、
　ｂ−３　ＥＩＴにおける各番組情報の拡張情報を格納する記述子に、作成された３Ｄ共通情報と３Ｄ固有情報をまとめて格納する記述子を格納するステップと、を含み、
　ｂ−４　３Ｄシーンデータが始まる時刻を示す３Ｄシーン開始時刻と、３Ｄシーン開始時刻から３Ｄシーンが継続する時間を示す３Ｄシーン継続時間を含む構成である３Ｄシーン時間情報を３Ｄ固有情報として含み、
　ｂ−５　３Ｄ固有情報の中に、３Ｄシーン時間情報を含むかどうかを示すフラグを格納する
　ｄ　ことを特徴とする３次元画像データを含むコンテンツから放送データを生成する方法。」
（３）補正後発明と引用発明との対比と一致点・相違点の認定
ア　対比
（ア−１）引用発明の構成ａと補正後発明の構成Ａ及びＢについて
　ＭＰＥＧシステムでは、ビデオデータを符号化することにより、エレメンタリーストリームを生成し、該エレメンタリーストリームからＰＥＳパケットを生成するものであるから、引用発明の構成ａの「ビデオデータの符号化により得られるビット列」は、『ビデオデータの符号化により得られるビット列を含むエレメンタリーストリーム』であり、引用発明の構成ａは、『ビデオデータの符号化により得られるビット列を含むエレメンタリーストリームを生成するステップ、該エレメンタリーストリームを所定の処理単位で分割して、ＰＥＳパケットを生成するステップ』といえる。
　そして、引用発明の『ビデオデータ』は、３次元画像のビデオデータであるから、補正後発明の「３次元映像データ」に相当し、引用発明の『エレメンタリーストリーム』、『所定の処理単位で分割』、『ＰＥＳパケット』は、補正後発明の「基礎ストリーム」、「パケット化」、「基礎ストリームパケット」に相当する。
　そうすると、上記の『ビデオデータの符号化により得られるビット列を含むエレメンタリーストリームを生成するステップ、該エレメンタリーストリームを所定の処理単位で分割して、ＰＥＳパケットを生成するステップ』は、補正後発明の「３次元映像データの符号化されたビット列を含む基礎ストリームを生成するステップと、前記基礎ストリームをパケット化して、少なくとも一つの基礎ストリームパケットを生成するステップ」に相当する。
　すなわち、引用発明の構成ａは、補正後発明の構成Ａ及びＢに相当する。
（ア−２）補正後発明の構成Ｃについて
　引用発明は、補正後発明の構成Ｃの「前記３次元映像データのサービス関連情報を含むＰＳＩＰ情報を生成するステップ」を含むことは特定されていない。
（ア−３）引用発明の構成ｂと補正後発明の構成Ｄについて
　引用発明の「３Ｄ画像の立体表示を行うため」の「３Ｄ画像制御情報」は、補正後発明の「３次元映像の再生に必要な３次元映像再生情報」に相当する。
　また、引用発明の「３Ｄ画像制御情報を格納」することは、３Ｄ画像制御情報を入れることであるから、補正後発明の「３次元映像再生情報を挿入する」ことに相当する。
　引用発明は、「ＥＩＴ」に、３次元映像再生情報を挿入するのに対し、補正後発明は、「ＥＩＴ及びＶＣＴを含む前記ＰＳＩＰ情報内」に、３次元映像再生情報を挿入するものであり、何に３次元映像再生情報を挿入するかという点で相違するものの、ＥＩＴもＰＳＩＰもＭＰＥＧ−伝送ストリームにおける放送サービスに関する情報である点で共通するので、放送サービスに関する情報内に挿入する点で共通する。
　すなわち、引用発明の構成ｂと補正後発明の構成Ｄは、「放送サービスに関する情報内に、前記３次元映像の再生に必要な３次元映像再生情報を挿入するステップ」という点で共通する。
（ア−４）引用発明の構成ｃと補正後発明の構成Ｅ及びＦについて
　引用発明の構成ｃは、ＥＩＴについてＴＳパケットを生成し、ＰＥＳパケットについてＴＳパケットを生成し、生成されたＴＳパケットを多重化して放送データとしているものであるから、『ＥＩＴ及びＰＥＳパケットのそれぞれについてのＴＳパケットを生成し、生成されたＴＳパケットを多重化して、放送データを生成するステップ』といえる。
　ここで、引用発明の『ＰＥＳパケット』、『ＴＳパケット』、『放送データ』は、補正後発明の「基礎ストリームパケット」、「伝送ストリームパケット」、「伝送ストリーム」に相当する。
　また、引用発明は、『ＥＩＴ』『についてのＴＳパケットを生成』するのに対し、補正後発明は、「前記ＰＳＩＰ情報」「についての少なくとも一つの伝送ストリームパケットを生成する」ものであり、何についての伝送ストリームパケットを生成するかという点で相違するものの、ＥＩＴもＰＳＩＰも放送サービスに関する情報である点で共通するので、放送サービスに関する情報についての少なくとも一つの伝送ストリームパケットを生成する点で共通する。
　そうすると、上記の『ＥＩＴ及びＰＥＳパケットのそれぞれについてのＴＳパケットを生成し、生成されたＴＳパケットを多重化して、放送データを生成するステップ』と、補正後発明の構成Ｅ及びＦは、「放送サービスに関する情報及び前記少なくとも一つの基礎ストリームパケットのうち、それぞれについての少なくとも一つの伝送ストリームパケットを生成するステップと、前記生成された伝送ストリームパケットを多重化して、伝送ストリームを生成するステップ」という点で共通する。
（ア−５）引用発明の構成ｂ−１と補正後発明の構成Ｄ−１について
　上記（ア−３）で検討したように、引用発明の「３Ｄ画像制御情報を格納する」ことは、補正後発明の「３次元映像再生情報を挿入する」ことに相当するので、引用発明の構成ｂ−１は、補正後発明の構成Ｄ−１に相当する。
（ア−６）引用発明の構成ｂ−２と補正後発明の構成Ｄ−２及びＤ−４について
（ア−６−１）補正後発明の構成Ｄ−２について
　引用発明の構成ｂのように、３Ｄ画像制御情報は、３Ｄ共通情報と３Ｄ固有情報からなるものであるから、構成ｂ−２における「３Ｄ共通情報と３Ｄ固有情報をまとめて格納する」ことは、３Ｄ画像制御情報を格納することといえ、そのようにして作成された記述子は、３Ｄ画像制御情報に関する記述子であるといえるので、引用発明の構成ｂ−２は、『３Ｄ画像制御情報を格納する３Ｄ画像制御情報に関する記述子を作成するステップ』といえる。
　そうすると、上記の『３Ｄ画像制御情報を格納する３Ｄ画像制御情報に関する記述子を作成するステップ』は、補正後発明の構成Ｄ−２の「前記３次元映像再生情報を含む少なくとも一つの３次元映像再生記述子を生成するステップ」に相当する。
（ア−６−２）補正後発明の構成Ｄ−４について
　引用発明の構成ｂ−２の「３Ｄ共通情報と３Ｄ固有情報をまとめて格納する記述子」は、３Ｄ共通情報と３Ｄ固有情報を含むものであり、これらの情報は、構成ｂのように、「３Ｄ画像の立体表示を行うための」情報であるから、引用発明の構成ｂ−２は、『３Ｄ画像制御情報に関する記述子は、３Ｄ画像の立体表示を行うための３Ｄ共通情報と３Ｄ固有情報を含む』といえる。
　そして、上記（２）ウに記載されているように、３Ｄ共通情報の例として、３Ｄ画像を構成する各視点画像がどのように配置されているかを示す情報である画像多重方式情報が挙げられており、上記（２）オに記載されているように、３Ｄ固有情報の例として、３Ｄシーン時間情報が挙げられている。
　また、本願明細書の段落００４５、００４６には、補正後発明の「基礎情報」の例として、３次元映像の左視点映像及び右視点映像の構成方式を表す３次元映像フォーマット情報が挙げられており、「付加情報」の例として、区間３次元再生情報が挙げられている。
　そうすると、引用発明の『３Ｄ共通情報』の例である画像多重方式情報は、３Ｄ画像を構成する各視点画像がどのように配置されているかを示す情報であるから、補正後発明の「基礎情報」の例である３次元映像フォーマット情報に相当するので、引用発明の『３Ｄ共通情報』は、補正後発明の「基礎情報」に相当する。
　また、引用発明の『３Ｄ固有情報』の例である３Ｄシーン時間情報は、構成ｂ−４のように、「３Ｄシーンデータが始まる時刻を示す３Ｄシーン開始時刻と、３Ｄシーン開始時刻から３Ｄシーンが継続する時間を示す３Ｄシーン継続時間を含む構成」であるから、補正後発明の「付加情報」の例である区間３次元再生情報に相当するので、引用発明の『３Ｄ固有情報』は、補正後発明の「付加情報」に相当する。
　さらに、引用発明の『３Ｄ画像の立体表示を行うため』は、補正後発明の「３次元映像の円滑な再生のため」に相当する。
　そうすると、上記の『３Ｄ画像制御情報に関する記述子は、３Ｄ画像の立体表示を行うための３Ｄ共通情報と３Ｄ固有情報を含む』は、補正後発明の構成Ｄ−４の「前記３次元映像再生記述子は、前記３次元映像の円滑な再生のための基礎情報及び付加情報を含」むことに相当する。
（ア−６−３）まとめ
　以上のことから、引用発明の構成ｂ−２は、補正後発明の構成Ｄ−２及びＤ−４に相当する。
（ア−７）引用発明の構成ｂ−３と補正後発明の構成Ｄ−３について
　上記（ア−６）で検討したように、３Ｄ画像制御情報は、３Ｄ共通情報と３Ｄ固有情報からなるものであり、引用発明の構成ｂ−３の「作成された３Ｄ共通情報と３Ｄ固有情報をまとめて格納する記述子」は、補正後発明の「３次元映像再生記述子」に相当するから、引用発明の構成ｂ−３の「作成された３Ｄ共通情報と３Ｄ固有情報をまとめて格納する記述子を格納する」ことは、補正後発明の「前記３次元映像再生記述子を挿入する」に相当する。
　引用発明は、「ＥＩＴにおける各番組情報の拡張情報を格納する記述子に」「格納」（挿入）するのに対し、補正後発明は、「前記ＰＳＩＰ情報の記述子領域に、」「挿入する」ものであり、３次元映像再生記述子を何に挿入するかという点で相違するものの、ＥＩＴもＰＳＩＰも放送サービスに関する情報である点で共通するので、放送サービスに関する情報の記述子領域に挿入する点で共通する。
　したがって、引用発明の構成ｂ−３と補正後発明の構成Ｄ−３は、「前記放送サービスに関する情報の記述子領域に、前記３次元映像再生記述子を挿入するステップ」という点で共通する。
（ア−８）引用発明の構成ｂ−４と補正後発明の構成Ｄ−５について
　引用発明の構成ｂ−４の「３Ｄシーン時間情報」は、３Ｄ固有情報に含まれるものであり、「３Ｄ共通情報と３Ｄ固有情報をまとめて格納する記述子」に格納されるものであるから、格納された「３Ｄシーン時間情報」は、『３Ｄシーン時間情報の記述子』であるといえ、『３Ｄシーン時間情報の記述子』は、「３Ｄシーンデータが始まる時刻を示す３Ｄシーン開始時刻と、３Ｄシーン開始時刻から３Ｄシーンが継続する時間を示す３Ｄシーン継続時間を含む構成」であるから、補正後発明の「全体の映像データのうち、３次元に再生される時間的区間または空間的区間を表す区間３次元再生記述子」に相当する。
　そして、引用発明は、『３Ｄシーン時間情報の記述子を３Ｄ固有情報として含』むものであるから、択一的な記載である補正後発明の構成Ｄ−５における「前記３次元映像再生記述子は、全体の映像データのうち、３次元に再生される時間的区間」「を表す区間３次元再生記述子」「のうち少なくとも一つを付加情報として含」むことに相当する。
　したがって、引用発明の構成ｂ−４は補正後発明の構成Ｄ−５に相当する。
（ア−９）引用発明の構成ｂ−５と補正後発明の構成Ｄ−６について
　引用発明の構成ｂ−５の「３Ｄシーン時間情報を含むかどうかを示すフラグ」は、３Ｄシーン時間情報という３Ｄ固有情報があるかないかを示すものといえるので、補正後発明の「該付加情報が定義されているか否かを示す指示子」に相当する。
　したがって、引用発明の構成ｂ−５は補正後発明の構成Ｄ−６に相当する。
（ア−１０）引用発明の構成ｄと補正後発明の構成Ｇについて
　引用発明の構成ｄの「３次元画像データを含むコンテンツから放送データを生成する方法」において、「放送データ」は、ストリームであって、「３次元画像データを含むコンテンツ」から生成されるものであるから、補正後発明の「３次元映像データストリーム」に相当し、引用発明の構成ｄは、補正後発明の構成Ｇに相当する。
（イ）一致点・相違点
　したがって、補正後発明と引用発明は、以下の点で一致ないし相違している。
（一致点）
「３次元映像データの符号化されたビット列を含む基礎ストリームを生成するステップと、
　前記基礎ストリームをパケット化して、少なくとも一つの基礎ストリームパケットを生成するステップと、
　放送サービスに関する情報内に、前記３次元映像の再生に必要な３次元映像再生情報を挿入するステップと、
　前記放送サービスに関する情報及び前記少なくとも一つの基礎ストリームパケットのうち、それぞれについての少なくとも一つの伝送ストリームパケットを生成するステップと、
　前記生成された伝送ストリームパケットを多重化して、伝送ストリームを生成するステップと、を含み、
　前記３次元映像再生情報を挿入するステップは、
　前記３次元映像再生情報を含む少なくとも一つの３次元映像再生記述子を生成するステップと、
　前記放送サービスに関する情報の記述子領域に、前記３次元映像再生記述子を挿入するステップと、
　を含み、
　前記３次元映像再生記述子は、前記３次元映像の円滑な再生のための基礎情報及び付加情報を含み、
　前記３次元映像再生記述子は、全体の映像データのうち、３次元に再生される時間的区間または空間的区間を表す区間３次元再生記述子、前記３次元映像を獲得したカメラに関する３次元カメラ記述子、前記３次元映像の再生により発生する視聴違和感を緩和するための低疲労度記述子、及び左視点映像及び右視点映像の不一致状態を表す左右不一致記述子のうち少なくとも一つを付加情報として含み、
　前記付加情報は、該付加情報が定義されているか否かを示す指示子を含むことを特徴とする３次元映像データストリーム生成方法。」
（相違点）
　相違点１
　補正後発明は、「前記３次元映像データのサービス関連情報を含むＰＳＩＰ情報を生成するステップ」を含むのに対し、引用発明は、そのようなステップを含むように限定されていない点。
　相違点２
　「放送サービスに関する情報」内に、３次元映像再生情報を挿入することに関して、補正後発明は、「ＥＩＴ及びＶＣＴを含む前記ＰＳＩＰ情報内」に挿入するのに対し、引用発明は、「ＥＩＴ」に挿入する点。
　相違点３
　「放送サービスに関する情報」についての伝送ストリームパケットを生成することに関して、補正後発明は、「前記ＰＳＩＰ情報」について生成するのに対し、引用発明は、「ＥＩＴ」について生成する点。
　相違点４
　「放送サービスに関する情報」の記述子領域に、前記３次元映像再生記述子を挿入することに関して、補正後発明は、「前記ＰＳＩＰ情報」の記述子領域に挿入するのに対し、引用発明は、「ＥＩＴ」の記述子領域に挿入する点。
（４）当審の判断
　上記相違点について検討する。
（４−１）相違点１について
　原審の拒絶理由に引用された、特開２００７−３００６１０号公報（以下、「引用文献２」という。）の段落００１８の「セットトップボックスは、放送事業者から伝送されたＰＳＩＰ（Ｐｒｏｇｒａｍ  ＆  Ｓｙｓｔｅｍ  Ｉｎｆｏｒｍａｔｉｏｎ  Ｐｒｏｔｏｃｏｌ）を受信して、ＳＴＴ（Ｓｙｓｔｅｍ  Ｔｉｍｅ  Ｔａｂｌｅ）、ＭＧＴ（Ｍａｓｔｅｒ  Ｇｕｉｄｅ  Ｔａｂｌｅ）、ＶＣＴ（Ｖｉｒｔｕａｌ  Ｃｈａｎｎｅｌ  Ｔａｂｌｅ）、ＲＲＴ（Ｒａｔｉｎｇ  Ｒｅｇｉｏｎ  Ｔａｂｌｅ）、ＥＩＴ（Ｅｖｅｎｔ  Ｉｎｆｏｒｍａｔｉｏｎ  Ｔａｂｌｅ）、及びＥＴＴ（Ｅｘｔｅｎｄｅｄ  Ｔｅｘｔ  Ｔａｂｌｅ）などの情報をマッピングしてＥＰＧ（Ｅｌｅｃｔｒｏｎｉｃ  Ｐｒｏｇｒａｍ  Ｇｕｉｄｅ）を生成する。」との記載、特開２００９−１７３８９号公報（以下、「引用文献３」という。）の段落０００７の「ＡＴＳＣ放送は、各々の物理チャンネルにおいて、その物理チャンネルで放送中の複数の番組の映像や音声と共に、ＰＳＩＰ（Program and System Information Protocol）と呼ばれるテレビ放送に関する様々なデータを含んだ情報が多重化する方法により配信されている。ＰＳＩＰは、さらに、ＶＣＴ（Virtual Channel Table）及びＥＩＴ（Event Information Table）を含んでいる。」との記載のように、放送に際して、ＥＩＴ及びＶＣＴを含むＰＳＩＰ情報を送信することは、周知の技術である。
　引用発明は、３Ｄ画像制御情報を格納したＥＩＴをＴＳパケットに変換し、多重化して放送データとするものであり、該放送データは受信装置に送信されるものであるから、ＥＩＴを送信するものである。
　放送に際して、ＥＩＴ及びＶＣＴを含むＰＳＩＰ情報を送信することが、上記のように周知の技術であり、当該ＰＳＩＰ情報には、ＥＩＴが含まれているのであるから、引用発明において、ＥＩＴを送信する際に、該ＥＩＴをＰＳＩＰ情報に含めるようにし、ＥＩＴ及びＶＣＴを含むＰＳＩＰ情報として送信するように構成することは、当業者であれば容易に想到し得るものである。
　そして、ＰＳＩＰ情報を送信するためには、ＰＳＩＰ情報を生成することは、当然に行われることであり、ＥＩＴもＰＳＩＰ情報も放送サービスに関する情報であるから、引用発明に、引用文献２、３に記載されたような周知技術を適用することにより、「３次元映像データのサービス関連情報を含むＰＳＩＰ情報を生成するステップ」を有するようにすることは、当業者が容易に想到し得るものである。
（４−２）相違点２〜４について
　上記相違点２〜４は、放送サービスに関する情報に関する様々なステップにおいて、放送サービスに関する情報が、補正後発明は、ＥＩＴ及びＶＣＴを含むＰＳＩＰ情報であるのに対して、引用発明は、ＥＩＴである点で相違することに起因するものである。
　上記（４−１）で検討したように、引用発明におけるＥＩＴを、ＥＩＴ及びＶＣＴを含むＰＳＩＰ情報に含めるようにすることは、当業者であれば容易に想到し得るものである。
　そして、引用発明におけるＥＩＴを、ＥＩＴ及びＶＣＴを含むＰＳＩＰ情報に含めるようにした場合に、引用発明のような「ＥＩＴ」に関する様々なステップは、「ＥＩＴ及びＶＣＴを含むＰＳＩＰ情報」に関する様々なステップとなり、補正後発明のようなステップとなるものである。
　よって、各相違点については、格別のものではなく、補正後発明に関する作用・効果も、引用発明及び引用文献２及び３に記載されたような周知技術から当業者が予測できる範囲のものである。
　
　したがって、補正後発明は、引用発明及び引用文献２及び３に記載されたような周知技術に基づいて、当業者が容易に発明をすることができたものであり、特許法第２９条第２項の規定により特許出願の際独立して特許を受けることができないものである。
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
第３　本願発明について
１．本願発明
　平成２７年１２月１６日付けの手続補正は上記のとおり却下されたので、本願の請求項１ないし１５に係る発明は、平成２６年５月１２日付け手続補正書の特許請求の範囲の請求項１ないし１５に記載された事項により特定されるものであるところ、その請求項１０に係る発明（以下、「本願発明」という。）は、次のとおりのものである。
「３次元映像データの符号化されたビット列を含む基礎ストリームを生成するステップと、
　前記基礎ストリームをパケット化して、少なくとも一つの基礎ストリームパケットを生成するステップと、
　前記３次元映像データのサービス関連情報を含むＰＳＩＰ情報を生成するステップと、
　ＥＩＴ及びＶＣＴを含む前記ＰＳＩＰ情報内に、前記３次元映像の再生に必要な３次元映像再生情報を挿入するステップと、
　前記ＰＳＩＰ情報及び前記少なくとも一つの基礎ストリームパケットのうち、それぞれについての少なくとも一つの伝送ストリームパケットを生成するステップと、
前記生成された伝送ストリームパケットを多重化して、伝送ストリームを生成するステップと、を含むことを特徴とする３次元映像データストリーム生成方法。」
２．引用発明
　原審の拒絶理由に引用された引用文献１、及び、その記載事項は、前記第２　３．（２）に記載したとおりである。
３．対比
　本願発明は、前記第２　２．に示したように、前記第２　３．で検討した補正後発明における
「前記３次元映像再生情報を挿入するステップは、
　前記３次元映像再生情報を含む少なくとも一つの３次元映像再生記述子を生成するステップと、
　前記ＰＳＩＰ情報の記述子領域に、前記３次元映像再生記述子を挿入するステップと、
　を含み、
　前記３次元映像再生記述子は、前記３次元映像の円滑な再生のための基礎情報及び付加情報を含み、
　前記３次元映像再生記述子は、全体の映像データのうち、３次元に再生される時間的区間または空間的区間を表す区間３次元再生記述子、前記３次元映像を獲得したカメラに関する３次元カメラ記述子、前記３次元映像の再生により発生する視聴違和感を緩和するための低疲労度記述子、及び左視点映像及び右視点映像の不一致状態を表す左右不一致記述子のうち少なくとも一つを付加情報として含み、
　前記付加情報は、該付加情報が定義されているか否かを示す指示子を含む」
という限定事項を省いたものである。
　そして、前記第２　３．（３）を援用すると、本願発明と引用発明は、以下の点で一致ないし相違する。
（一致点）
「３次元映像データの符号化されたビット列を含む基礎ストリームを生成するステップと、
　前記基礎ストリームをパケット化して、少なくとも一つの基礎ストリームパケットを生成するステップと、
　放送サービスに関する情報内に、前記３次元映像の再生に必要な３次元映像再生情報を挿入するステップと、
　前記放送サービスに関する情報及び前記少なくとも一つの基礎ストリームパケットのうち、それぞれについての少なくとも一つの伝送ストリームパケットを生成するステップと、
　前記生成された伝送ストリームパケットを多重化して、伝送ストリームを生成するステップと、を含むことを特徴とする３次元映像データストリーム生成方法。」
（相違点）
　相違点１
　本願発明は、「前記３次元映像データのサービス関連情報を含むＰＳＩＰ情報を生成するステップ」を含むのに対し、引用発明は、そのようなステップを含むように限定されていない点。
　相違点２
　「放送サービスに関する情報」内に、３次元映像再生情報を挿入することに関して、補正後発明は、「ＥＩＴ及びＶＣＴを含む前記ＰＳＩＰ情報内」に挿入するのに対し、引用発明は、「ＥＩＴ」に挿入する点。
　相違点３
　「放送サービスに関する情報」についての伝送ストリームパケットを生成することに関して、補正後発明は、「前記ＰＳＩＰ情報」について生成するのに対し、引用発明は、「ＥＩＴ」について生成する点。
４．判断
　相違点１〜３については、補正後発明と引用発明における相違点１〜３と同じであるから、上記第２　３．（４）（４−１）及び（４−２）の検討を援用する。
　そうすると、本願発明は、引用発明及び引用文献２及び３に記載されたような周知技術に基づいて、当業者が容易に発明をすることができたものである。
第４　まとめ
　以上のとおり、本願の請求項１０に係る発明は、引用文献１に記載された発明及び引用文献２及び３に記載されたような周知技術に基づいて、当業者が容易に発明をすることができたものであるから、特許法第２９条第２項の規定により特許を受けることができないものである。
　したがって、本願は、その余の請求項について言及するまでもなく、拒絶すべきものである。
　よって結論のとおり審決する。